(57)【特許請求の範囲】
【請求項１】
燃焼筒の基端面の中心部に噴霧燃料を導入する噴霧導入口を設けると共にその周囲に旋回羽根を設け、前記噴霧導入口の手前の位置に噴霧ノズルを燃焼筒に臨ませて設け、該噴霧ノズルを囲むように第１空気筒を設け、該第１空気筒内に炎検知器を設け、送風手段より送られてくる空気の一部を前記第１空気筒内に導入し、１次空気として前記噴霧ノズルからの噴霧燃料と一緒に前記燃焼筒内に導入して燃焼に供し、また送風手段より送られてくる空気の他の一部を前記旋回羽根を介して燃焼筒内に旋回導入するようにした噴霧燃焼器であって、前記第１空気筒内に空気を取り入れるための第１空気取り入れ口を、第１空気筒の前記炎検知器のある位置とそれに対して丁度反対の位置とに２ヵ所開口して設けたことを特徴とする噴霧燃焼器。
【発明の詳細な説明】
【０００１】
【発明の属する技術分野】
本発明は、燃料を燃焼筒内に噴霧すると共に燃焼のための空気を燃焼筒内に導入して、燃焼を行う噴霧燃焼器に関する。
【０００２】
【従来の技術】
従来、ガンタイプバーナ等の噴霧ノズルから噴霧される石油燃料を、燃焼筒の基端面の中心部に設けられる噴霧導入口を介して燃焼筒内に導入し、燃焼に供する噴霧燃焼器にあっては、良好な燃焼を確保するために、送風手段より供給される燃焼用の空気を幾つかのグループに別けてそれぞれ異なる場所から燃焼筒内に供給していた。その１つのグループは、前記噴霧ノズルに沿った周囲から噴霧燃料と一緒に前記噴霧導入口を介して燃焼筒内に導入される１次空気流で、他の１つのグループは、前記噴霧導入口の周囲に設けられる旋回羽根を介して燃焼筒内に旋回導入される旋回空気流である。
前記１次空気流は噴霧ノズルの周囲から噴霧導入口を介して燃焼筒内に直進的に導入されることから、この１次空気流の量をあまり多くすると、火炎の安定性（補炎性）が悪くなる。このため、従来は噴霧ノズルの周囲に空気筒を設け、送風手段より送られてくる空気の限定された一部だけを空気筒内に入れて、噴霧燃料と共に燃焼筒内に導入される１次空気とすると共に、空気筒内に取り入れられる１次空気のバランスを良くするため、前記空気筒の周壁に多数、分散して小孔からなる１次空気取り入れ口を分散して設け、整流していた。
【０００３】
【発明が解決しようとする課題】
ところが上記従来の噴霧燃焼器においては、小孔からなる１次空気取り入れ口が空気筒の周壁に多数に分散されて設けられていることから、前記空気筒内に配置される炎検知器に直接当たる空気が少く、炎検知器の冷却が不十分となりやすい問題があった。
【０００４】
そこで本発明は、上記従来の噴霧燃焼器における欠点を解消し、噴霧燃料と共に燃焼筒内に導入される１次空気の量を適当に抑制しながら、１次空気による炎検知器の冷却効果を上げ、且つ１次空気のバランスもあまり損なわない噴霧燃焼器の提供を課題とする。
【０００５】
【課題を解決するための手段】
上記目的を達成するため、本発明の噴霧燃焼器は、燃焼筒の基端面の中心部に噴霧燃料を導入する噴霧導入口を設けると共にその周囲に旋回羽根を設け、前記噴霧導入口の手前の位置に噴霧ノズルを燃焼筒に臨ませて設け、該噴霧ノズルを囲むように第１空気筒を設け、該第１空気筒内に炎検知器を設け、送風手段より送られてくる空気の一部を前記第１空気筒内に導入し、１次空気として前記噴霧ノズルからの噴霧燃料と一緒に前記燃焼筒内に導入して燃焼に供し、また送風手段より送られてくる空気の他の一部を前記旋回羽根を介して燃焼筒内に旋回導入するようにした噴霧燃焼器であって、前記第１空気筒内に空気を取り入れるための第１空気取り入れ口を、第１空気筒の前記炎検知器のある位置とそれに対して丁度反対の位置とに２ヵ所開口して設けたことを特徴としている。
【０００６】
上記本発明の特徴によれば、送風手段より送られてきた空気は、その限定された量が第１空気筒の第１空気取り入れ口から第１空気筒内に導入され、１次空気として噴霧燃料と共に噴霧導入口から燃焼筒内に導入される。
一方の第１空気取り入れ口から第１空気筒内に入った空気はまとまった空気量で炎検知器に当たり、これを冷却する。そして残る１８０  度反対の位置の第１空気取り入れ口から入った空気は前記一方の第１空気取り入れ口から入った空気とのバランスをとる。これによって第１空気筒内の１次空気は全体として適当にバランスのよい均一な状態となる。また第１空気筒内から噴霧燃料と共に燃焼筒内に導入される１次空気量は抑制されているため、火炎の安定性も確保される。
【０００７】
【発明の実施の形態】
以下に本発明を実施の形態を説明する。
図１は本発明の実施の形態を示す噴霧燃焼器の概略を示す断面構成図、図２は図１の第１空気筒を輪切りにして見た第１空気取り入れ口と炎検知器との関係を示す断面構成図である。
【０００８】
燃焼筒１０の基端面１１の中心部に噴霧燃料を導入する噴霧導入口１２を設け、その噴霧導入口１２の手前位置に噴霧ノズル２０を燃焼器の中心軸Ｘ上に配置して、前記噴霧導入口１２に臨ませている。前記噴霧導入口１２の周囲には旋回羽根３０を設けている。１３は燃焼筒１０の側周壁に設けた空気孔である。
前記噴霧ノズル２０の近傍に点火棒４０とＣｄＳ  等からなる炎検知器５０を設けている。そしてこれら噴霧ノズル２０、点火棒４０、炎検知器５０を囲む形で第１空気筒６０を設け、該第１空気筒６０の内部を第１空気室Ａとしている。第１空気筒６０の傾斜前面部６１の先端周縁は前記噴霧導入口１２の周縁に接続固着されている。
第２空気筒７０は前記燃焼筒１０の基端面１１と前記第１空気筒６０の傾斜前面部６１との間の空間を囲む形で設けられ、第２空気筒７０内の前記空間が第２空気室Ｂとされている。さらに前記燃焼筒１０、第１空気筒６０、第２空気筒７０を囲んで外筒８０を設けており、該外筒８０には送風手段である送風ファン９０を接続している。尚、前記外筒８０の内側に今１つの整流筒を同心状に設けるようにしてもよい。
前記送風ファン９０より送られてきた空気は外筒８０内に導入され、外筒８０内に導入された空気は、その一部が前記第１空気筒６０の第１空気取り入れ口６２、６３から第１空気筒６０内に入り１次空気となる。また残りの一部が前記第２空気筒７０の空気入口７１から第２空気室Ｂに入り、残りは燃焼筒１０の側周壁に設けた空気孔１３から燃焼筒１０内に直接導入される。
【０００９】
前記炎検知器５０は、既述したようにＣｄＳ  等をセンサとし、高温になるのを避けるため第１空気筒６０内に配置され、噴霧導入口１２を介して燃焼筒１０内での火炎の有無を検出する部材であるが、この例では、噴霧ノズル２０の側方に平行する形で配置されている。そして前記第１空気筒６０に設けられる第１空気取り入れ口６２、６３は、合計で２ヵ所のみに設けると共に、その一方の第１空気取り入れ口６２を前記炎検知器５０がある位置に開口して設け、他方の第１空気取り入れ口６３を前記一方の第１空気取り入れ口６２とは丁度反対の位置、即ち１８０  度回転した位置に設けている。前記２つの第１空気取り入れ口６２の開口の大きさは同じか、同程度としている。
【００１０】
送風ファン９０から外筒８０に吹き込まれた空気は、その限定された一部が前記第１空気筒６０の第１空気取り入れ口６２、６３から第１空気室Ａに入り、１次空気となって、前記噴霧ノズル２０の周囲から噴霧燃料と一緒に前方の噴霧導入口１２を介して燃焼筒１０内に導入され、燃焼に供される。また残りの一部が前記第２空気筒７０の空気入口７１から第２空気室Ｂに入り、旋回羽根３０を介して燃焼筒１０内へ旋回導入される。そして残余は前記燃焼筒１０の側周壁に設けた空気孔１３から燃焼筒１０内へ向心方向に直接導入される。
【００１１】
前記第１空気取り入れ口６２、６３から第１空気筒６０内に導入される空気の内、炎検知器５０がある位置に開口された第１空気取り入れ口６２を通って第１空気筒６０に流れ込んだ空気は、適当にまとまった空気量でもって炎検知器５０に当たり、これを冷却する。そして残る１８０  度反対の位置の第１空気取り入れ口６３から入った空気は前記一方の第１空気取り入れ口６２から第１空気筒６０内に流れ込んだ空気とのバランスをとり、第１空気筒内の１次空気を全体としてバランスのとれた均一な状態とする。
勿論、前記第１空気取り入れ口６２、６３によって、第１空気筒６０内へ導入される空気の総量が抑制されているため、該第１空気筒６０内から燃焼筒１０内へ導入される１次空気の量及び勢いも抑制される結果、炎の吹き飛び等が防止され、火炎の安定性が確保される。
【００１２】
【発明の効果】
本発明は以上の構成よりなり、請求項１に記載の噴霧燃焼器によれば、第１空気筒内に空気を取り入れるための第１空気取り入れ口を、第１空気筒の炎検知器のある位置とそれに対して丁度反対の位置とに２ヵ所開口して設けるようにしたので、一方の第１空気取り入れ口から第１空気筒内に導入されるまとまった空気によって炎検知器を効果的に冷却することができる。また残る反対位置の第１空気取り入れ口から第１空気筒内に導入される空気によって第１空気筒内の１次空気をバランスし、均一な状態とすることができるので、よって噴霧燃料と共に燃焼筒内に導入される１次空気の量や勢いを噴霧燃料の周囲に均一にすることができ、火炎を安定させることができる。また勿論、第１空気取り入れ口を２ヵ所だけにして第１空気筒内へ導入される空気の総量を抑制したので、燃焼筒内へ導入される１次空気の量及び勢いを抑制することができ、炎の吹き飛び等を防止して、火炎の安定性を確保することができる。
【図面の簡単な説明】
【図１】本発明の実施の形態を示す噴霧燃焼器の概略を示す断面構成図である。
【図２】図１の第１空気筒を輪切りにして見た第１空気取り入れ口と炎検知器との関係を示す断面構成図である。
【符号の説明】
１０  燃焼筒
１１  基端面
１２  噴霧導入口
２０  噴霧ノズル
３０  旋回羽根
５０  炎検知器
６０  第１空気筒
６２、６３  第１空気取り入れ口
９０  送風ファン
【図１】
0003603411.tif 000002
【図２】
0003603411.tif 000003